(57)【要約】【課題】光量を均一化して演出効果を向上することができる遊技機を提供する。【解決手段】電飾基板２５０（基板）に配された複数の発光源３００と、１または複数の発光源３００ごとに設けられ、１または複数の発光源３００から発射された光が導かれる発光面を有する複数の導光部２７０、２９０と、を備え、複数の導光部２７０、２９０は、発光面が、電飾基板２５０の外方を向くように並んで配置されている。【選択図】図４
2018047105.tif 000002
【特許請求の範囲】
【請求項１】
基板に配された複数の発光源と、
１または複数の前記発光源ごとに設けられ、該１または複数の発光源から発射された光が導かれる発光面を有する複数の導光部と、
を備え、
前記複数の導光部は、
前記発光面が、前記基板の外方を向くように並んで配置されていることを特徴とする遊技機。
【請求項２】
前記導光部に形成され、該導光部の内部に進入した前記発光源からの光の少なくとも一部を、前記発光面に向かって反射する反射面と、
前記反射面を通過した光を反射する反射部材と、
を備えることを特徴とする請求項１に記載の遊技機。
【発明の詳細な説明】
【技術分野】
【０００１】
本発明は、複数の発光源が設けられた遊技機に関する。
【背景技術】
【０００２】
従来、始動口に遊技球が入球すると保留情報が記憶部に記憶されるとともに、始動条件の成立により、記憶部に記憶された保留情報が順次読み出されて大役抽選が行われ、この大役抽選により大当たりに当選すると、大入賞口が開放される大役遊技が実行可能となる遊技機が知られている。こうした遊技機には、演出照明装置が設けられており、大役抽選の結果を報知する変動演出や、大役遊技中に実行される大役演出等において、さまざまな実行パターンで演出照明装置を点灯させることにより、演出効果の向上が図られている。
【０００３】
そして、遊技機の中には、演出照明装置として、発光源を中心に回転可能な反射鏡が設けられ、大当たりの当選時に、反射鏡を回転させ、発光源からの光の反射方向を変化させる所謂回転灯が設けられたものも提案されている。
【０００４】
しかしながら、演出照明装置として回転灯が設けられている場合、反射鏡をモータによって回転させるため、小型化が難しく、モータを駆動させるための消費電力も大きい。そこで、特許文献１、２では、円筒状の支持部材の周方向および軸方向に沿って複数の発光源を配置し、発光源を周方向に順次発光させることで、回転灯を擬似的に表現した擬似回転灯が開示されている。
【先行技術文献】
【特許文献】
【０００５】
【特許文献１】特開２０１２−１６１５００号公報
【特許文献２】特開２０１０−０１０１４１号公報
【発明の概要】
【発明が解決しようとする課題】
【０００６】
上記の特許文献１、２に記載のように、円筒状の支持部材の軸方向に沿って複数の発光源を配置する場合、発光源が発射する光の光量が軸方向の位置によって疎らとなってしまい、演出効果が低減してしまう。
【０００７】
本発明は、光量を均一化して演出効果を向上することができる遊技機の提供を目的とする。
【課題を解決するための手段】
【０００８】
上記課題を解決するために、本発明の遊技機は、基板に配された複数の発光源と、１または複数の前記発光源ごとに設けられ、該１または複数の発光源から発射された光が導かれる発光面を有する複数の導光部と、を備え、前記複数の導光部は、前記発光面が、前記基板の外方を向くように並んで配置されていることを特徴とする。
【０００９】
また、前記導光部に形成され、該導光部の内部に進入した前記発光源からの光の少なくとも一部を、前記発光面に向かって反射する反射面と、前記反射面を通過した光を反射する反射部材と、を備えるとよい。
【発明の効果】
【００１０】
本発明によれば、光量を均一化して演出効果を向上することができる。
【図面の簡単な説明】
【００１１】
【図１】扉が開放された状態を示す遊技機の斜視図である。
【図２】遊技機の正面図である。
【図３】演出照明装置の斜視図である。
【図４】演出照明装置の分解斜視図である。
【図５】導光レンズが組み付けられた電飾基板の斜視図である。
【図６】アウターレンズを取り外した演出照明装置の斜視図である。
【図７】演出照明装置の正面図である。
【図８】図７のＶＩＩＩ−ＶＩＩＩ線断面図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
図１は、本実施形態の遊技機１００の斜視図であり、扉が開放された状態を示している。なお、以下の説明において、遊技機１００に正対した遊技者から見て左側を左方向とし、遊技機１００に正対した遊技者から見て右側を右方向とし、遊技機１００に正対した遊技者から見て上側を上方向とし、遊技機１００に正対した遊技者から見て下側を下方向とし、遊技機１００に対して遊技者側を前方向とし、遊技機１００に対して遊技者とは反対側を後方向として説明する。
【００１４】
図１に示すように、遊技機１００は、略矩形状に組まれた四辺によって囲繞空間が形成される外枠１０２と、この外枠１０２にヒンジ機構によって開閉自在に取り付けられた中枠１０４と、この中枠１０４に、ヒンジ機構によって開閉自在に取り付けられた前枠１０６と、を備えている。
【００１５】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８と透過板１１０とが所定の間隔を維持して略平行に対面するとともに、遊技機１００の前方側から、透過板１１０を介して遊技盤１０８が視認可能となる。
【００１６】
図２は、遊技機１００の正面図である。この図に示すように、前枠１０６の下部には、遊技機１００の前面側に突出する操作ハンドル１１２が設けられている。この操作ハンドル１１２は、遊技者が回転操作可能に設けられており、遊技者が操作ハンドル１１２を回転させて発射操作を行うと、操作ハンドル１１２の回転角度に応じた強度で、不図示の発射機構によって遊技球が発射される。そして、発射機構によって発射された遊技球は、遊技盤１０８と透過板１１０との間隔によって形成される遊技領域に導かれ、遊技盤１０８に設けられた多数の釘や風車に衝突して、不規則な方向に流下、転動する。なお、遊技領域には、一般入賞口、始動口が設けられ、これら一般入賞口、始動口に遊技球が入球すると、所定の賞球が遊技者に払い出される。
【００１７】
また、始動口に遊技球が入球すると、予め設けられた複数の特別図柄の中からいずれか１の特別図柄を決定するための抽選が行われる。各特別図柄には、遊技者にとって有利な大役遊技の実行可否や、以後の遊技状態をどのような遊技状態にするかといった種々の遊技利益が対応付けられている。例えば、抽選により大当たりに当選すると、対応する特別図柄が決定されて大役遊技が実行される。したがって、遊技者は、始動口に遊技球が入球すると、所定の賞球を獲得するのと同時に、種々の遊技利益を受ける権利獲得の機会を獲得することとなる。
【００１８】
また、遊技領域には、大入賞口が設けられている。そして、通常、遊技球の入球を不可能とする閉状態に維持された大入賞口は、前述の大役遊技が実行されると、遊技球の入球が可能となり、大入賞口に遊技球が入球すると、所定の賞球が遊技者に払い出される。
【００１９】
また、遊技機１００には、遊技の進行中等に演出を行う演出装置として、液晶表示装置からなる演出表示装置１１４、可動装置からなる演出役物装置１１６、スピーカからなる音声出力装置１１８、遊技者の操作を受け付ける演出操作装置１２０、さまざまな点灯態様に制御される演出照明装置２００が設けられている。
【００２０】
これら演出表示装置１１４、演出役物装置１１６、音声出力装置１１８、および、演出照明装置２００は、中枠１０４内に設けられた制御基板の制御に基づいて所定の演出を行う。
【００２１】
演出表示装置１１４は、画像を表示する画像表示部１１４ａを備えており、この画像表示部１１４ａが、遊技盤１０８の略中央部分において、遊技機１００の前方側から視認可能に中枠１０４内に配置されている。
【００２２】
演出役物装置１１６は、中枠１０４内において演出表示装置１１４よりも前面に配置され、通常、遊技盤１０８の背面側に退避しているが、遊技の進行中などに、演出表示装置１１４の前面まで可動して、遊技者に大当たりの期待感を付与するものである。
【００２３】
音声出力装置１１８は、外枠１０２の最下部位置に設けられ、演出表示装置１１４に表示される画像等に合わせて、遊技機１００の前方側に向けてさまざまな音声を出力する。
【００２４】
演出照明装置２００は、例えば、前枠１０６のうち、右方向かつ上方向に設けられる。演出照明装置２００は、例えば、大当たりの当選時など、遊技の進行に伴う演出において、さまざまに点灯制御される。
【００２５】
図３は、演出照明装置２００の斜視図であり、図４は、演出照明装置２００の分解斜視図である。ただし、図４では、装飾部２１０の図示は省略する。図３、図４に示すように、演出照明装置２００は、装飾部２１０、アウターレンズ２２０、リフレクタ２３０（反射部材）、電飾基板２５０（基板）、および、２つの導光レンズ２６０、２８０を含んで構成される。アウターレンズ２２０は、透過性を有する赤色の樹脂によって形成されている。導光レンズ２６０、２８０は、透過性を有する透明な樹脂によって形成されている。リフレクタ２３０は、例えば、樹脂によって形成され、詳しくは後述するように、表面に細かな凹凸が形成されている反射面２３８ａに金属メッキ加工が施される。
【００２６】
電飾基板２５０、および、２つの導光レンズ２６０、２８０は、後方向に配されたリフレクタ２３０と前方向に配されたアウターレンズ２２０によって囲繞された内部に収容される。
【００２７】
図４に示すように、アウターレンズ２２０は、湾曲壁２２２および上壁２２４を備えており、湾曲壁２２２および上壁２２４によって、リフレクタ２３０、電飾基板２５０、導光レンズ２６０、２８０を収容する空間が形成される。上壁２２４は、後方向から前方向に向かって、湾曲しながら左右方向の幅が徐々に狭くなるように形成されている。湾曲壁２２２は、上壁２２４の外縁から下方向に延在しており、右方向の右壁２２２ｃが、左方向の左壁２２２ｄよりも、後方向に長く延在している。
【００２８】
リフレクタ２３０は、後方向の背面部２３２と、背面部２３２から前方側に突出する上壁２３４および下壁２３６とを有し、上壁２３４と下壁２３６の間に、右方向側が左方向側よりも深く窪んでいる窪み部２３８が形成される。窪み部２３８の内壁には、光を反射する反射面２３８ａが形成されている。したがって、反射面２３８ａは、右方向の方が左方向よりも後方向に長く延在している。窪み部２３８の左方向には、左壁２４０が形成されている。
【００２９】
窪み部２３８のうち、高さ方向（上方向および下方向）の大凡中心には、嵌込穴２４２が形成されている。嵌込穴２４２は、窪み部２３８の反射面２３８ａから、後方向および左方向に切り欠かれている。
【００３０】
電飾基板２５０は、板形状であって、大凡水平方向に延在する。電飾基板２５０の側面２５２は、大凡、アウターレンズ２２０の湾曲面２２２ａに沿って湾曲している。電飾基板２５０は、上方向の上面２５４に、ＬＥＤでなる発光源３００が複数設けられている。
【００３１】
発光源３００は、上面２５４の大凡中心側（以下、電飾基板２５０の内方という）から、電飾基板２５０の側面２５２側（以下、電飾基板２５０の外方という）に亘って２つ並ぶようにして、電飾基板２５０の側面２５２に沿って複数配列される。つまり、上面２５４上には、電飾基板２５０の外方の発光源３００と、電飾基板２５０の内方の発光源３００で構成される２つの発光源３００のブロック（以下、これらを発光源群３０２という）が、大凡放射状に配置される。
【００３２】
ここでは、電飾基板２５０の上面２５４に配された発光源３００について説明したが、電飾基板２５０の下面２５６にも、上面２５４と同様の配置で、複数の発光源３００が配列されている。
【００３３】
また、電飾基板２５０の上面２５４には、導光レンズ２６０が配置され、電飾基板２５０の下面２５６には、導光レンズ２８０が配置されている。
【００３４】
導光レンズ２６０の基体２６２は、上面２６４および下面２６６が、電飾基板２５０の上面２５４と大凡同形状となっており、基体２６２の側面２６８は、電飾基板２５０の側面２５２に沿って湾曲している。基体２６２には、上面２６４から上方向に突出した複数の導光部２７０が一体形成されている。導光部２７０は、電飾基板２５０の上面２５４に設けられた発光源群３０２に対して、上方向から対向する位置に１つずつ配置される。
【００３５】
導光レンズ２８０は、導光レンズ２６０と大凡同形状となっている。すなわち、導光レンズ２８０の基体２８２は、上面２８４および下面２８６が、電飾基板２５０の下面２５６と大凡同形状となっており、基体２８２の側面２８８は、電飾基板２５０の側面２５２に沿って湾曲している。導光レンズ２８０の基体２８２は、導光レンズ２６０の基体２６２よりも、高さ方向の厚みが薄い。基体２８２には、複数の導光部２９０が設けられる。導光部２９０は、下面２８６から下方向に突出しており、下面２８６のうち、電飾基板２５０の下面２５６に設けられた発光源群３０２対して、下方向から対向する位置に１つずつ配置される。
【００３６】
図５は、導光レンズ２６０、２８０の斜視図である。電飾基板２５０は、導光レンズ２６０、２８０に挟まれている。詳細には、導光レンズ２６０の下面２６６に窪みが形成されており、この窪みに電飾基板２５０が収容された後、導光レンズ２８０の上面２８４によって、導光レンズ２６０の下面２６６が閉ざされる。
【００３７】
導光部２７０は、詳しくは後述するように、電飾基板２５０の外方が最も上方向に突出しており、電飾基板２５０の内方に臨む背面２７２は、内方に向って徐々に突出高さが低くなるように湾曲している。また、導光部２７０には、電飾基板２５０の外方に臨み、アウターレンズ２２０に対向する発光面２７４が形成される。発光面２７４は、上下方向に延在しており、上方向に向って先端が先細り形状となっている。
【００３８】
導光部２９０は、導光部２７０と同様、電飾基板２５０の外方が最も下方向に突出しており、導光部２９０のうち、電飾基板２５０の内方に臨む背面２９２は、内方に向って徐々に突出高さが低くなるように湾曲している。導光部２９０には、電飾基板２５０の外方に臨み、アウターレンズ２２０に対向する発光面２９４が形成される。発光面２９４は、上下方向に延在しており、下方向に向って先端が先細り形状となっている。
【００３９】
複数の導光部２７０、２９０は、大凡放射状に配置される。複数の導光部２７０、２９０は、発光面２７４、２９４が、電飾基板２５０の外方を向くように並んで配置されている。複数の導光部２７０、２９０の背面２７２、２９２は、リフレクタ２３０の反射面２３８ａに対向する。
【００４０】
図６は、アウターレンズ２２０を取り外した演出照明装置２００の斜視図である。図６に示すように、電飾基板２５０、導光レンズ２６０、２８０は、リフレクタ２３０の窪み部２３８に収容される。このとき、電飾基板２５０のうち、左方向かつ後方向の端部２５８（図４参照）、および、導光レンズ２６０、２８０のうち、左方向かつ後方向の端部２７６、２９６（図４参照）は、リフレクタ２３０の嵌込穴２４２に嵌め込まれる。
【００４１】
図７は、演出照明装置２００の正面図であり、図８は、図７のＶＩＩＩ−ＶＩＩＩ線断面図である。図８に示す断面においては、最も前方向に配置された導光部２７０、２９０の左右方向の中央を通る前後方向の切断面が示されている。図８中、発光源３００ａ〜３００ｄからの光を矢印で示す。
【００４２】
図８に示すように、導光レンズ２６０の下面２６６は、電飾基板２５０の上面２５４に設けられた発光源３００から僅かに上方向に離隔するとともに、導光部２７０が発光源３００に対向している。導光レンズ２８０の上面２８４は、電飾基板２５０の下面２５６に設けられた発光源３００から僅かに下方向に離隔するとともに、導光部２９０が当該発光源３００に対向している。
【００４３】
発光源３００ａ、３００ｂから発射された光は、導光レンズ２６０の下面２６６から導光部２７０の内部に進入する。導光部２７０は、背面２７２に、略円弧状の反射面２７８ａ、２７８ｂが形成されている。反射面２７８ａ、２７８ｂの間には、反射面２７８ａ、２７８ｂを接続する接続面２７８ｃが設けられている。反射面２７８ａ、２７８ｂは、導光レンズ２６０のうち、下面２６６および発光面２７４の双方に臨んでいる。
【００４４】
また、反射面２７８ａは、発光源群３０２のうちの電飾基板２５０の内方側の発光源３００ａの上方向に位置し、反射面２７８ｂは、発光源群３０２のうちの電飾基板２５０の外方側の発光源３００ｂの上方向に位置する。発光源３００ａ、３００ｂから発射された光の大部分は、下面２６６から導光部２７０の内部に進入すると、反射面２７８ａ、２７８ｂでそれぞれ発光面２７４に向けて反射される。発光面２７４は、反射された光を導光部２７０の外部へ発射する。
【００４５】
反射面２７８ａ、２７８ｂは、それぞれ、発光源３００ａ、３００ｂからの光を発光面２７４に向けて反射するように、曲率が設定されている。なお、発光源３００ａ、３００ｂの位置が異なることから、反射面２７８ａ、２７８ｂの曲率も異なっている。
【００４６】
導光部２９０は、導光部２７０と同様、内部における背面２９２の裏側（内部側）に、反射面２９８ａ、２９８ｂが形成されている。反射面２９８ａ、２９８ｂの間には、反射面２９８ａ、２９８ｂを接続する接続面２９８ｃが設けられている。反射面２９８ａ、２９８ｂは、導光レンズ２８０のうち、上面２８４および発光面２９４の双方に臨んでいる。
【００４７】
また、反射面２９８ａは、電飾基板２５０の内方の発光源３００ｃの下方向に位置し、反射面２９８ｂは、電飾基板２５０の外方の発光源３００ｄの下方向に位置する。発光源３００ｃ、３００ｄからの光が上面２８４から導光レンズ２８０の内部に進入すると、反射面２９８ａ、２９８ｂは、それぞれ、進入した光のほとんどを、発光面２９４に向けて反射する。発光面２９４は、反射された光を導光部２９０の外部へ発射する。
【００４８】
反射面２９８ａ、２９８ｂは、それぞれ、発光源３００ｃ、３００ｄからの光を発光面２９４に向けて反射するように、曲率が設定されている。発光源３００ａ、３００ｂの位置が異なることから、反射面２９８ａ、２９８ｂの曲率も異なっている。
【００４９】
リフレクタ２３０の反射面２３８ａは、断面の外形が大凡円弧形状となっており、導光部２７０、２９０のうち、内面に反射面２７８ａ、２７８ｂ、２９８ａ、２９８ｂが形成された背面２７２、２９２に対向するように配置されている。
【００５０】
導光部２７０、２９０の内部に進入した光は、導光部２７０、２９０の反射面２７８ａ、２７８ｂ、２９８ａ、２９８ｂで大部分が反射されるが、一部は、反射面２７８ａ、２７８ｂ、２９８ａ、２９８ｂを通過することになる。リフレクタ２３０の反射面２３８ａは、導光部２７０、２９０の反射面２７８ａ、２７８ｂ、２９８ａ、２９８ｂを通過した光を反射する。反射面２３８ａの凹凸により、様々な方向に光が反射するため、演出効果が高まる。
【００５１】
ここでは、最も前方向に配置された導光部２７０、２９０について、断面を示しながら説明したが、他の導光部２７０、２９０についても、同様の構成となっている。
【００５２】
上記のように、演出照明装置２００は、モータなどによる回転機構を有さない。例えば、制御基板によって、発光源群３０２を、上方向から見たときに時計回りや反時計回りに順次発光させることで、疑似的に回転灯が回転しているように、遊技者などに視認させることができる。これにより、モータや回転機構に要するコストを低減できる。
【００５３】
また、演出照明装置２００では、発光源３００から発射された光は、導光部２７０、２９０の内部を通って発光面２７４、２９４に導かれ、発光面２７４、２９４全体から発射される。そのため、演出照明装置２００は、高さ方向の光量のばらつきが抑えられて光量が均一化され、演出効果が向上する。
【００５４】
また、演出照明装置２００では、発光面２７４、２９４が電飾基板２５０の外方に向くように導光レンズ２６０、２８０を配置し、発光源３００から上方向や下方向に発光する光を発光面２７４、２９４に導いている。そのため、電飾基板２５０をフレキシブル基板としてアウターレンズ２２０の湾曲面２２２ａに沿わせたり、アウターレンズ２２０の湾曲面２２２ａに沿って複数の電飾基板２５０を設けたりする必要がない。その分、コストを低減することが可能となる。
【００５５】
また、発光源３００から発射された光は、導光部２７０、２９０の内部を通って発光面２７４、２９４に導かれる。そのため、発光源３００を直接、アウターレンズ２２０の湾曲面２２２ａに対向させる場合に比べて、発光源３００から発射された光が湾曲面２２２ａの周方向に発散し難い。したがって、隣り合う発光源３００の間に仕切り板を配置する必要がなく、仕切り板に要するコストを低減できる。
【００５６】
また、演出照明装置２００は、前枠１０６のうち、右方向かつ上方向に設けられ、発光源群３０２は、電飾基板２５０のうち、左方向よりも右方向に多く配置される。そのため、演出照明装置２００による演出は、遊技者のみならず、遊技機１００の右方向からも視認され易く、遊技者以外の者に対しても演出効果が向上する。特に、大当たりに当選したときにのみ演出照明装置２００を点灯させる場合には、演出照明装置２００が点灯することにより、遊技者以外の者に対しても大当たりに当選したことを報知することができるので、遊技者にさらなる優越感を与えることができる。
【００５７】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００５８】
例えば、上述した実施形態では、リフレクタ２３０を設ける場合について説明した。しかし、リフレクタ２３０は必須の構成ではない。ただし、リフレクタ２３０を設けることで、反射面２７８ａ、２７８ｂ、２９８ａ、２９８ｂを通過して後方向に向かう光も反射するため、発光源３００からの光を無駄なく演出に寄与させることが可能となる。
【００５９】
また、上述した実施形態では、発光源３００および導光部２７０、２９０は、電飾基板２５０の両面（上面２５４と下面２５６）に設けられている場合について説明した。しかし、発光源３００および導光部２７０、２９０は、電飾基板２５０の一方の面にのみ設けられていてもよい。ただし、発光源３００および導光部２７０、２９０が、電飾基板２５０の両面（上面２５４と下面２５６）に設けられる場合、電飾基板２５０の一方の面にのみ設けられる場合に比べ、電飾基板２５０の枚数を増やさずに、発光面２７４、２９４を倍増させて、演出効果を向上させることが可能となる。
【００６０】
また、上述した実施形態では、１つの導光部２７０、２９０に対して１の発光源群３０２を構成する２個の発光源３００が設けられる場合について説明した。しかし、１つの導光部２７０、２９０に対して１個の発光源３００が設けられてもよいし、３個以上の発光源３００が設けられてもよい。１つの導光部２７０、２９０に対して複数の発光源３００が設けられる場合、導光部２７０、２９０それぞれに進入する光の光量を増加させ、演出効果をさらに向上させることができる。
【符号の説明】
【００６１】
１００  遊技機
２３０  リフレクタ（反射部材）
２５０  電飾基板（基板）
２７０、２９０  導光部
２７４、２９４  発光面
２７８ａ、２７８ｂ、２９８ａ、２９８ｂ  反射面
３００、３００ａ、３００ｂ、３００ｃ、３００ｄ  発光源
【図１】
2018047105.tif 000003
【図２】
2018047105.tif 000004
【図３】
2018047105.tif 000005
【図４】
2018047105.tif 000006
【図５】
2018047105.tif 000007
【図６】
2018047105.tif 000008
【図７】
2018047105.tif 000009
【図８】
2018047105.tif 000010